(57)【要約】【課題】フックの取付・取外しが容易で、作業性を向上する梯子用フックを提供する。【解決手段】略逆Ｕ字状フック本体２の基端側脚部３を梯子頂部に取付け可能とし、先端側脚部４の下端部にフック本体２の開口部６を閉じるストッパー片７の基端部を枢着し、基端側脚部３の下端部には、一端側にストッパー係止部８を有し且つ他端側に解除用ロープ９を取り付けた揺動レバー１０を枢着した梯子用フックである。ストッパー片７は、バネ１４により、常時は先端部７ａがストッパー係止部８から離脱してフック本体２の開口部６を開放可能な姿勢に保持され、先端部７ａがストッパー係止部８に上方より係止されることによってフック本体閉鎖姿勢に保持され、揺動レバー１０はバネ１６で水平姿勢に保持され、解除用ロープ９を下方へ引っ張ることにより、ストッパー片７の先端部７ａをストッパー係止部８から下方へ離脱させ、フック本体２の開口部６を開放させる。【選択図】図４
2008045372.tif 000002
【特許請求の範囲】
【請求項１】
基端側脚部と先端側脚部と屈曲部とで略逆Ｕ字状に形成したフック本体の基端側脚部を梯子の支柱頂部に取付け可能とし、先端側脚部の下端部にはフック本体の開口部を閉じるストッパー片の基端部を枢着し、基端側脚部の下端部には、フック本体の開口部に臨む一端側にストッパー係止部を有し且つ他端側にストッパー解除用ロープを取り付けた揺動レバーを枢着してなる梯子用フックであって、ストッパー片は、バネによって、常時は先端部が揺動レバーのストッパー係止部から下方へ離脱してフック本体の開口部を開放可能な姿勢に保持されていて、その先端部がストッパー係止部に対し上方より係止されることによって、フック本体の開口部を閉鎖するフック本体閉鎖姿勢に保持され、揺動レバーは、バネにより水平姿勢に保持されていて、ストッパー解除用ロープを下方へ引っ張ることにより、ストッパー片の先端部をストッパー係止部から下方へ離脱させて、フック本体の開口部を開放させるようにしたことを特徴とする梯子用フック。
【請求項２】
フック本体の開口部に臨む前記ストッパー係止部の端面はテーパ面に形成されていて、ストッパー係止部から下方へ離脱した状態にあるストッパー片の先端部をそのテーパ面に沿って押し上げることにより、揺動レバーがバネに抗して揺動してストッパー片の先端部が揺動レバーのストッパー係止部に係止するようになっていることを特徴とする請求項１に記載の梯子用フック。
【請求項３】
フック本体の基端側脚部にはフック取付金具を設け、このフック取付金具によってフック本体の基端側脚部を梯子の支柱頂部に着脱自在に取り付けるようにしたことを特徴とする請求項１又は２に記載の梯子用フック。
【請求項４】
フック取付金具は、上下水平片と垂直片とでコ字形を成し、上下水平片にフック本体の基端側脚部を嵌挿して回転不能に取り付けるフック受金と、このフック受金の垂直片と連結し、梯子の支柱頂部に着脱自在に取り付ける取付ブラケットとからなり、取付ブラケットは、フック受金の垂直片に連結される第１板部とこれの一端部から垂直に連成される第２板部とでＬ字状に形成され、梯子支柱の隣り合う二側面部に嵌合するＬ字状本体と、第２板部の先端部に基端部が枢着された回動板とからなるもので、Ｌ字状本体を梯子支柱の隣り合う二側面部に嵌合すると共に、回動板を、Ｌ字状本体の第１板部と対向する側で梯子支柱の側面部に当てがって梯子支柱を掴持した状態で、第１板部の先端部と回動板の遊端部とを締付ボルトで締結することにより、梯子支柱の頂部に掴持固定されるようになっていることを特徴とする請求項３に記載の梯子用フック。
【発明の詳細な説明】
【技術分野】
【０００１】
本発明は、電線等の架線工事や修理工事等の高所作業に使用される梯子の頂部にフックを取り付けた梯子用フックに関するものである。
【背景技術】
【０００２】
従来の梯子用フックとして、例えば特許文献１に記載されたものがある。この梯子用フックは、基端側脚部と先端側脚部と屈曲部とで略逆Ｕ字状に形成したフック本体の基端側脚部を梯子の支柱の頂部に取り付け可能とすると共に、この基端側脚部の下端部にフック本体の開口部を閉鎖するストッパー片の基端部を枢着して、バネにより、ストッパー片の一端部側が常時フックの内方にのみ回動可能にフック閉鎖状態を保持するようにし、ストッパー片の他端部に、ストッパー片を前記バネの付勢力に抗しフック内方側に回動させてフック閉鎖状態を解除する解除ロープを連結してなるもので、使用にあたって、フックを空中に張架されたストランド等に掛け、梯子が倒れるのを防止しながら作業が行なえるようにしたある。
【特許文献１】実開昭６１−１１８９８号公報
【発明の開示】
【発明が解決しようとする課題】
【０００３】
上記特許文献１の梯子用フックにあっては、ストッパー片をフックの内方側へ回動させるため、ストッパー片の先端部にストランド等が引っ掛かり、フックの取り外しが困難となる等の不都合を生じ、作業性が悪くなるといった問題がある。
【０００４】
本発明は、ストッパー片の先端部にストランド等が引っ掛かるようなことがなく、フックの取り外しが容易で、作業性を向上できるようにした梯子用フックを提供することを目的とする。
【課題を解決するための手段】
【０００５】
上記課題を解決するための手段を、後述する実施形態の参照符号を付して説明すると、請求項１に係る発明の梯子用フック１は、基端側脚部３と先端側脚部４と屈曲部５とで略逆Ｕ字状に形成したフック本体２の基端側脚部３を梯子Ａの支柱頂部に取付け可能とし、先端側脚部４の下端部にはフック本体２の開口部６を閉じるストッパー片７の基端部を枢着し、基端側脚部３の下端部には、フック本体２の開口部６に臨む一端側にストッパー係止部８を有し且つ他端側にストッパー解除用ロープ９を取り付けた揺動レバー１０を枢着してなる梯子用フックであって、ストッパー片７は、バネ１４によって、常時は先端部７ａが揺動レバー１０のストッパー係止部８から下方へ離脱してフック本体２の開口部６を開放可能な姿勢に保持されていて、その先端部７ａがストッパー係止部８対し上方より係止されることによって、フック本体２の開口部６を閉鎖するフック本体閉鎖姿勢に保持され、揺動レバー１０は、バネ１６により水平姿勢に保持されていて、ストッパー解除用ロープ９を下方へ引っ張ることにより、ストッパー片７の先端部７ａをストッパー係止部８から下方へ離脱させて、フック本体２の開口部６を開放させるようにしたことを特徴とする。
【０００６】
請求項２は、請求項１に記載の梯子用フックにおいて、フック本体２の開口部６に臨む前記ストッパー係止部８の端面８ｏはテーパ面に形成されていて、ストッパー係止部８から下方へ離脱した状態にあるストッパー片７の先端部７ａをそのテーパ面８ｏに沿って押し上げることにより、揺動レバー１０がバネ１６に抗して揺動してストッパー片７の先端部７ａが揺動レバー１０のストッパー係止部８に係止するようになっていることを特徴とする。
【０００７】
請求項３は、請求項１又は２に記載の梯子用フックにおいて、フック本体２の基端側脚部にはフック取付金具１１を設け、このフック取付金具１１によってフック本体２の基端側脚部３を梯子Ａの支柱Ｐ頂部に着脱自在に取り付けるようにしたことを特徴とする。
【０００８】
請求項４は、請求項３に記載の梯子用フックにおいて、フック取付金具１１は、上下水平片１７ａ，１７ｂと垂直片１７ｃとでコ字形を成し、上下水平片１７ａ，１７ｂにフック本体２の基端側脚部３を嵌挿して回転不能に取り付けるフック受金１７と、このフック受金１７の垂直片１７ｃと連結し、梯子Ａの支柱Ｐ頂部に着脱自在に取り付ける取付ブラケット１８とからなり、取付ブラケット１８は、フック受金１７の垂直片１７ｃに連結される第１板部２２ａとこれの一端部から垂直に連成される第２板部２２ｂとでＬ字状に形成され、梯子支柱Ｐの隣り合う二側面部ａ，ｂに嵌合するＬ字状本体２２と、第２板部２２ｂの先端部に基端部が枢着された回動板２４とからなるもので、Ｌ字状本体２２を梯子支柱Ｐの隣り合う二側面部ａ，ｂに嵌合すると共に、回動板２４を、Ｌ字状本体２２の第１板部２２ａと対向する側で梯子支柱Ｐの側面部ｃに当てがって梯子支柱Ｐを掴持した状態で、第１板部２２ａの先端部と回動板２４の遊端部とを締付ボルト２５で締結することにより、梯子支柱Ｐの頂部に掴持固定されるようになっていることを特徴とする。
【発明の効果】
【０００９】
上記解決手段による発明の効果を、後述する実施形態の参照符号を付して説明すると、請求項１に係る発明の梯子用フック１は、基端側脚部３と先端側脚部４と屈曲部５とで略逆Ｕ字状に形成したフック本体２の基端側脚部３を梯子Ａの支柱頂部に取付け可能とし、先端側脚部４の下端部に、フック本体２の開口部６を閉じるストッパー片７の基端部を枢着し、基端側脚部３の下端部には、フック本体２の開口部６に臨む一端側にストッパー係止部８を有し且つ他端側にストッパー解除用ロープ９を取り付けた揺動レバー１０を枢着してなるフックであって、揺動レバー１０の取付構造とストッパー片７の取付構造とがフック本体２の基端側脚部３と先端側脚部４とに分かれているため、夫々取付構造が簡単となって、部品の交換がし易くなる。
【００１０】
そして、このフック１では、ストッパー片７は、バネ１４によって、常時は先端部７ａが揺動レバー１０のストッパー係止部８から下方へ離脱してフック本体２の開口部６を開放可能な姿勢に保持されていて、その先端部７ａがストッパー係止部８対し上方より係止されることによって、フック本体２の開口部６を閉鎖するフック本体閉鎖姿勢に保持され、揺動レバー１０は、バネ１６により水平姿勢に保持されていて、ストッパー解除用ロープ９を下方へ引っ張ることにより、ストッパー片７の先端部７ａをストッパー係止部８から下方へ離脱させてフック本体２の開口部６を開放させるようにしたから、ストランドＳへのフック１の引っ掛け操作、及びストランドＳからのフック１の取り外し操作が簡単容易であると共に、フック１の取り外し時にストッパー片７の先端部７ａにストランドＳが引っ掛かるようなことがなく、作業性の向上を図ることができる。
【００１１】
また、ストッパー片７がフック本体２の開口部６を閉鎖するフック本体閉鎖姿勢では、ストッパー片７の先端部７ａが揺動レバー１０のストッパー係止部８対し上方より係止される状態であって、ストッパー片７とストッパー係止部８とが完全に接触しているので、細いストランドＳでも、フック本体２がストランドＳから外れることがなく、作業の安全性を確保できる。
【００１２】
請求項２に係る発明によれば、フック本体２の開口部６に臨むストッパー係止部８の端面８ｏがテーパ面に形成されていて、ストッパー係止部８から下方へ離脱した状態にあるストッパー片７の先端部７ａをテーパ面８ｏに沿って押し上げることにより、揺動レバー１０がバネ１６に抗して揺動し、ストッパー片７の先端部７ａが揺動レバー１０のストッパー係止部８に係止するようになっているから、ストランドＳへのフック１の引っ掛け操作、及びストランドＳからのフック１の取り外し操作が一層簡単容易となる。
【００１３】
請求項３に係る発明によれば、フック本体２の基端側脚部にフック取付金具１１を設けて、このフック取付金具１１によりフック本体２の基端側脚部３を梯子Ａの支柱Ｐ頂部に着脱自在に取り付けるようにしているから、梯子Ａ側が破損したりして使用できなくなった場合は、そのフック１を取り外して新しい梯子Ａに付け替えることができ、またフック１側が破損した場合は、そのフック１を取り外し修理したり、新しいフック１を取り付けることができる。
【００１４】
請求項４に係る発明によれば、フック取付金具１１は、上下水平片１７ａ，１７ｂと垂直片１７ｃとでコ字形を形成したフック受金１７と、このフック受金１７の垂直片１７ｃと連結し、梯子Ａの支柱Ｐ頂部に着脱自在に取り付ける取付ブラケット１８とからなり、取付ブラケット１８は、フック受金１７の垂直片１７ｃに連結される第１板部２２ａとこれの一端部から垂直に連成される第２板部２２ｂとでＬ字状に形成され、梯子支柱Ｐの隣り合う二側面部ａ，ｂに嵌合するＬ字状本体２２と、第２板部２２ｂの先端部に基端部が枢着された回動板２４とからなるもので、Ｌ字状本体２２を梯子支柱Ｐの隣り合う二側面部ａ，ｂに嵌合すると共に、回動板２４を、Ｌ字状本体２２の第１板部２２ａと対向する側で梯子支柱Ｐの側面部ｃに当てがって梯子支柱Ｐを掴持した状態で、第１板部２２ａの先端部と回動板２４の遊端部とを締付ボルト２５で締結して、梯子支柱Ｐの頂部に掴持固定されるようになっているから、梯子支柱Ｐへのフック１の取付け及び取り外しを容易且つ迅速に行なうことができる。
【発明を実施するための最良の形態】
【００１５】
以下に本発明の好適な実施形態について図面に基づいて説明すると、図１は本発明に係る梯子用フックの使用状態を示す斜視図で、フック本体閉鎖姿勢を示し、図２はフック本体が開放可能な姿勢にある状態を示す斜視図であり、図３の(a) は梯子用フックの正面図、(b) は平面図、(c) は底面図、(d) は側面図であり、図４は梯子の支柱に取り付けた状態の梯子用フックの正面図である。また、図５及び図６は使用時のフックの動作を示す説明図であり、図７はフックの取付状態を示す斜視図である。
【００１６】
これらの図において、１は梯子用フックで、基端側脚部３と先端側脚部４と屈曲部５とで略逆Ｕ字状に形成されたフック本体２を有する。このフック本体１は、基端側脚部３がフック取付金具１１を介して梯子Ａの支柱Ｐの頂部に着脱自在に取り付け可能となっており、先端側脚部４の下端部にはフック本体２の開口部６を閉じるストッパー片７の基端部が支軸１２によって枢着され、基端側脚部３の下端部には、フック本体２の開口部６に臨む一端側にストッパー係止部８を有し且つ他端側のロープ取付部１０ｏにストッパー解除用ロープ９を取り付けた揺動レバー１０が支軸１５により枢着されている。またフック本体２の屈曲部５側にはゴム、合成樹脂等の弾性を有する絶縁性のカバー１３が被着されている。
【００１７】
梯子Ａは、両側一対の支柱Ｐ，Ｐと両Ｐ，Ｐ間に一定間隔おきに横架された複数の踏杆Ｎ（図４参照）とからなるもので、支柱Ｐは、例えば図３の(b) に示すように、底壁部ａと両側壁部ｂ，ｂとで横断面コ字形を成すアルミ押出型材よりなる溝形材を、その溝開口部ｃを外側に向けて配置され、この支柱Ｐの頂部端面には合成樹脂製の端部キャップＫが固着されている（図７参照）。梯子用フック１は、両支柱Ｐ，Ｐの上端部に夫々取り付けられる。尚、梯子Ａは、複数の梯子を伸縮自在に連結した伸縮梯子でもよい。
【００１８】
上記フック１の構造を更に詳しく説明すると、ストッパー片７は、バネ１４によって、常時は図４の実線図示のように、先端部７ａが揺動レバー１０のストッパー係止部８から下方へ離脱してフック本体２の開口部６を開放可能な姿勢に保持されていて、図１及び図３の(a) の実線図示のように、その先端部７ａがストッパー係止部８に対し上方より係止されることによって、フック本体２の開口部６を閉鎖するフック本体閉鎖姿勢に保持されるようになっている。このストッパー片７は、常時はバネ１４によって図４の実線で示す位置に保持されるが、同図の仮想線図示のように下向き垂直姿勢と上向き垂直姿勢との間の略１８０°の範囲で回動可能である。
【００１９】
揺動レバー１０は、常時は図１、図３の(a) 及び図４に実線で示すように水平姿勢に保持されているが、ストッパー解除用ロープ９を下方へ引っ張ることにより、バネ１６に抗して図３の(a) の時計回りに揺動し、ストッパー係止部８がフック本体２の基端側脚部３の下端部前側面に当接してストッパー片先端部７ａの回転軌道の外へ退避し、それによりストッパー片先端部７ａをストッパー係止部８から下方へ離脱させて、フック本体２の開口部６を開放させるようになっている。この揺動レバー１０は、図３の(a) に実線で示す水平姿勢では、後端側にある当接片１０ａがフック本体２の基端側脚部３の下端部後側面に当接するから、ストッパー片７の先端部７ａがストッパー係止部８に係止されたフック本体閉鎖姿勢でストッパー片７に下向きの大きな荷重がかかっても、揺動レバー１０は揺動せず、ストッパー片７のフック本体閉鎖姿勢を維持することができる。
【００２０】
図４から分かるように、フック本体２の開口部６に臨むストッパー係止部８の端面８ｏはテーパ面に形成されていて、同図４の実線図示のようにストッパー係止部８から下方へ離脱した状態にあるストッパー片７の先端部７ａをそのテーパ面８ｏに沿って押し上げることにより、揺動レバー１０がバネ１６に抗して揺動して、同図４の仮想線図示のようにストッパー片７の先端部７ａが揺動レバー１０のストッパー係止部８に係止するようになっている。
【００２１】
フック取付金具１１は、図１〜図３及び図７に示すように、上下水平片１７ａ，１７ｂと垂直片１７ｃとでコ字形を成し、上下両水平片１７ａ，１７ｂにフック本体２の基端側脚部３を嵌挿して回転不能に取り付けるフック受金１７と、このフック受金１７の垂直片１７ｃと連結し、梯子Ａの支柱Ｐ頂部に着脱自在に取り付ける取付ブラケット１８とからなるもので、フック本体２の基端側脚部３のフック受金１７への嵌挿部には、ナイロンその他の合成樹脂で断面を正方形その他の多角形に形成した回転止め部材２０が固着され、フック受金１７の角形嵌挿孔１９を回転止め部材２０に合致する形状としており、そして回転止め部材２０の下面とフック受金１７の下水平片１７ｂとの間にコイルバネ２１が介装されていて、常時フック受金１７と回転止め部材２０との嵌合が保持されている。
【００２２】
フック取付金具１１の取付ブラケット１８は、図７から分かるように、フック受金１７の垂直片１７ｃに連結される第１板部２２ａとこれの一端部から垂直に連成される第２板部２２ｂとでＬ字状に形成されていて、梯子Ａの支柱Ｐの隣り合う二側面部、例えば図３の(b) 及び図７に示すように底壁部ａと一方の側壁部ｂとの二側面部に外側から嵌合するＬ字状本体２２と、第２板部２２ｂの先端部に基端部が支軸２３によって枢着された回動板２４とから構成されるもので、Ｌ字状本体２２を梯子支柱Ｐの隣り合う二側面部ａ，ｂに嵌合すると共に、回動板２４を、Ｌ字状本体２２の第１板部２２ａと対向する側で梯子支柱Ｐの側面部ｃ（図３の(b) 及び図７では溝開口部ｃ）に当てがって梯子支柱Ｐを掴持した状態で、第１板部２２ａの先端部と回動板２４の遊端部とを締付用の蝶ボルト２５で締結することによって、梯子Ａの支柱Ｐの頂部に掴持固定されるようになっている。
【００２３】
Ｌ字状本体２２には第１板部２２ａの先端部に、蝶ボルト２５が螺合するナット部２６が設けられ、回動板２４の遊端部には蝶ボルト２５を挿通するボルト挿通孔２７が設けられている。また、Ｌ字状本体２２の第１板部２２ａは、フック受金１７の垂直片１７ｃにビス２８とナット２９で連結される。
【００２４】
上記のように構成される梯子用フック１を梯子Ａの支柱Ｐに取り付けるには、図７に示すように、フック本体２の基端側脚部３に設けたフック取付金具１１の取付ブラケット１８を開放状態とする、つまり取付ブラケット１８の回動板２４をその支軸２３を中心に外側へ開放回動した状態とし、斯かる状態からフック１を梯子支柱Ｐの頂部に持ち来して図７の矢印のようにそのまま下ろし、取付ブラケット１８のＬ字状本体２２を梯子支柱Ｐの二側面部ａ，ｂに嵌合させ、しかる後に回動板２４を閉じるように回動して梯子支柱Ｐの側面部ｃ（溝開口部）を覆うようにすることによって、支柱Ｐの頂部を掴持した状態で、回動板２４の遊端部にあるボルト挿通孔２７からＬ字状本体２２の第１板部２２ａ先端部にあるナット部２６に蝶ボルト２５でねじ込んで締結すればよい。
【００２５】
この場合、梯子支柱Ｐの頂部端面に固着されているキャップＫは、支柱Ｐよりも僅かに径大で、キャップＫの下面側周縁部が支柱Ｐの外周縁より若干突出した状態にあるため、フック取付金具１１の取付ブラケット１８で支柱Ｐの頂部を掴持した時に、Ｌ字状本体２２の上端縁及び回動板２４の上端縁がキャップＫの下面側周縁部に当接するようになり、従ってキャップＫが支柱Ｐの頂部端面に強固に固着されている限り、梯子用フック１の使用時にフック取付金具１１の取付ブラケット１８が支柱Ｐの頂部から抜け出るようなことがない。
【００２６】
次に、上記のように構成される梯子用フック１の使用方法について図５及び図６を参照しながら説明する。
【００２７】
図５の(a) は、ストッパー片７の先端部７ａが揺動レバー１０のストッパー係止部８から下方へ少しだけ離脱して、ストッパー片７が下り傾斜状態でフック本体２の開口部６を開放し得る姿勢に保持されている初期状態を示す。
【００２８】
しかして、フック１を空中に張架されたストランドＳに引っ掛けるには、フック１を、図５の(a) に示すようにストランドＳよりも上方でストッパー片７がストランドＳの真上に位置する状態とし、斯かる状態からそのまま梯子Ａを下げてフック１を下方へ移動させると、同図の(b) に示すように、ストッパー片７がストランドＳにより押し上げられて支軸１２を中心に上向きに回動する。この回動中に、ストッパー片７の先端部７ａが揺動レバー１０のテーパ面８ｏに沿って押し上がることにより、そのテーパ作用で、揺動レバー１０がバネ１６に抗して揺動して、ストッパー片７の先端部７ａがストッパー係止部８を通過した後、ストランドＳはフック１から離れて、図５の(c) に示すようにフック本体２の屈曲部５に当たり、これによってフック本体２がストランドＳに引っ掛かった状態となる。
【００２９】
こうしてストランドＳをフック本体２の屈曲部５に引っ掛けた時、ストッパー片７は、バネ１４の付勢力で初期状態に戻ろうとして、図５の(c) の仮想線図示状態から時計回りに回動するから、同図の実線で示すように、先端部７ａが揺動レバー１０のストッパー係止部８に対し上方より係止して、フック本体２の開口部６を閉鎖するフック本体閉鎖位置に保持され、従ってこのフック本体閉鎖位置でフック１を上向きに移動させてストランドＳをストッパー片７に衝当させても、ストッパー片７は、その閉鎖状態を維持することができる。
【００３０】
また、ストランドＳが図５の(d) に示すように上下に間隔をおいて複数（例えば２つ）存在する時は、図５の(b) に示すように上段側のストランドＳによってストッパー片７を押し上げた後、フック１をそのまま下げてゆくと、下段側のストランドＳが、図５の(c)
に示す状態にあるストッパー片７を、図５の(d) に示すように押し上げた後、ストッパー片７は図５の(c) に示すようにフック本体２の開口部６を閉鎖した状態（フック本体閉鎖位置）となる。
【００３１】
上記のようにストッパー片７がフック本体閉鎖位置にあってフック本体２の開口部６が閉鎖された状態から、この閉鎖状態を解除する時は、ストッパー解除用ロープ９を下方へ引っ張ればよく、その状態を図６の(a) ，(b) に示す。即ち、図６の(a) に仮想線で示すようにストッパー片７の先端部７ａが揺動レバー１０のストッパー係止部８に係止した状態から、ストッパー解除用ロープ９を下向きに引っ張ると、図４から分かるように、揺動レバー１０が支軸１５を中心に時計回りに揺動して、ストッパー係止部８がストッパー片先端部７ａの回動軌跡の外側へ退避し、それによりストッパー片７は、図６の(a) の仮想線図示のような初期状態に戻る。尚、ストッパー片７が初期状態に戻ったら、ストッパー解除用ロープ９は放したままでよい。
【００３２】
しかして、ストッパー片７が初期状態のまま、梯子Ａを持ち上げて、フック１を上方へ移動させると、図６の(b) に示すようにストランドＳはストッパー片７を押し下げて、ストッパー片７から下方へ抜け出し、図５の(a) に示す状態となる。ストランドＳがストッパー片７から下方へ抜け出した後、ストッパー片７は、揺動レバー１０のストッパー係止部８から下方へ少しだけ離脱して、ストッパー片７が下り傾斜状態でフック本体２の開口部６を開放し得る姿勢に保持されている初期状態に戻る。
【００３３】
以上説明した実施形態の梯子用フック１は、基端側脚部３と先端側脚部４と屈曲部５とで略逆Ｕ字状に形成したフック本体２の基端側脚部３を梯子Ａの支柱頂部に取付け可能とし、先端側脚部４の下端部に、フック本体２の開口部６を閉じるストッパー片７の基端部を枢着し、基端側脚部３の下端部には、フック本体２の開口部６に臨む一端側にストッパー係止部８を有し且つ他端側にストッパー解除用ロープ９を取り付けた揺動レバー１０を枢着してなるフックであって、揺動レバー１０の取付構造とストッパー片７の取付構造とがフック本体２の基端側脚部３と先端側脚部４とに分かれているため、夫々取付構造が簡単で、部品の交換がし易くなる。
【００３４】
そして、このフック１では、ストッパー片７は、バネ１４によって、常時は先端部７ａが揺動レバー１０のストッパー係止部８から下方へ離脱してフック本体２の開口部６を開放可能な姿勢に保持されていて、その先端部７ａがストッパー係止部８対し上方より係止されることによって、フック本体２の開口部６を閉鎖するフック本体閉鎖姿勢に保持され、揺動レバー１０は、バネ１６により水平姿勢に保持されていて、ストッパー解除用ロープ９を下方へ引っ張ることにより、ストッパー片７の先端部７ａをストッパー係止部８から下方へ離脱させてフック本体２の開口部６を開放させるようにしたもので、フック１を空中に張架されたストランドＳに引っ掛ける時は、ストッパー片７がストランドＳの真上にある状態から梯子Ａを下げてフック１を下方へ動かすだけで、ストッパー片７がストランドＳにより押し上げられて上向きに回動し、この回動中にストッパー片７の先端部７ａが揺動レバー１０のテーパ面８ｏに沿って押し上がることにより、揺動レバー１０がバネ１６に抗して揺動し、ストッパー片７の先端部７ａがストッパー係止部８を通過した後、ストランドＳがフック１から離れてフック本体２の屈曲部５に当たり、フック本体２がストランドＳに引っ掛かった状態となり、またストッパー片７がフック本体２の開口部６を閉鎖した状態から、この閉鎖状態を解除する時には、ストッパー解除用ロープ９を下方へ引っ張ればよいから、ストランドＳへのフック１の引っ掛け操作、及びストランドＳからのフック１の取り外し操作が簡単容易であると共に、フック１の取り外し時にストッパー片７の先端部７ａにストランドＳが引っ掛かるようなことがなく、作業性の向上を図ることができる。
【００３５】
また、このフック１は、ストッパー片７がフック本体２の開口部６を閉鎖するフック本体閉鎖姿勢では、ストッパー片７の先端部７ａが揺動レバー１０のストッパー係止部８対し上方より係止される状態であって、ストッパー片７とストッパー係止部８とが完全に接触しているので、細いストランドＳでも、フック本体２がストランドＳから外れることがなく、作業の安全性を確保できる。
【００３６】
この実施形態では、フック本体２の開口部６に臨むストッパー係止部８の端面８ｏをテーパ面に形成して、ストッパー係止部８から下方へ離脱した初期状態にあるストッパー片７の先端部７ａをそのテーパ面８ｏに沿って押し上げることにより、揺動レバー１０がバネ１６に抗して揺動してストッパー片７の先端部７ａが揺動レバー１０のストッパー係止部８に係止するようにしているが、フック本体２の開口部６に臨むストッパー係止部８の端面をテーパにしない場合は、ストッパー片７が初期状態の時にフック１をストランドＳに引っ掛ける時に、ストッパー解除用ロープ９を引っ張って、揺動レバー１０のストッパー係止部８を非係止位置に退避させるようにすればよい。但し、この実施形態のように、ストッパー係止部８の端面をテーパにすることにより、ストランドＳへのフック１の引っ掛け操作、及びストランドＳからのフック１の取り外し操作が一層簡単容易となる。
【００３７】
また、この実施形態のフック１では、フック本体２の基端側脚部にフック取付金具１１を設けて、このフック取付金具１１によりフック本体２の基端側脚部３を梯子Ａの支柱Ｐ頂部に着脱自在に取り付けるようにしているから、梯子Ａ側が破損したりして使用できなくなった場合は、そのフック１を取り外して新しい梯子Ａに付け替えることができ、またフック１側が破損した場合は、そのフック１を取り外し修理したり、新しいフック１を取り付けることができる。
【００３８】
そして、このフック取付金具１１は、上下水平片１７ａ，１７ｂと垂直片１７ｃとでコ字形を成し、上下水平片１７ａ，１７ｂにフック本体２の基端側脚部３を嵌挿して回転不能に取り付けるフック受金１７と、このフック受金１７の垂直片１７ｃと連結し、梯子Ａの支柱Ｐ頂部に着脱自在に取り付ける取付ブラケット１８とからなり、取付ブラケット１８は、フック受金１７の垂直片１７ｃに連結される第１板部２２ａとこれの一端部から垂直に連成される第２板部２２ｂとでＬ字状に形成され、梯子支柱Ｐの隣り合う二側面部ａ，ｂに嵌合するＬ字状本体２２と、第２板部２２ｂの先端部に基端部が枢着された回動板２４とからなるもので、Ｌ字状本体２２を梯子支柱Ｐの隣り合う二側面部ａ，ｂに嵌合すると共に、回動板２４を、Ｌ字状本体２２の第１板部２２ａと対向する側で梯子支柱Ｐの側面部ｃに当てがって梯子支柱Ｐを掴持した状態で、第１板部２２ａの先端部と回動板２４の遊端部とを締付ボルト２５で締結することにより、梯子支柱Ｐの頂部に掴持固定されるようになっているから、梯子支柱Ｐへのフック１の取付け及び取り外しを容易且つ迅速に行なうことができる。
【図面の簡単な説明】
【００３９】
【図１】本発明に係る梯子用フックの使用状態を示す斜視図で、フック本体閉鎖姿勢を示す。
【図２】フック本体が開放可能な姿勢にある状態のフックを示す斜視図である。
【図３】(a) は梯子用フックの正面図、(b) は平面図、(c) は底面図、(d) は側面図である。
【図４】梯子の支柱に取り付けた状態の梯子用フックの正面図である。
【図５】使用時のフックの動作を示す説明図である。
【図６】使用時のフックの動作を示す説明図である。
【図７】フックの取付状態を示す斜視図である。
【符号の説明】
【００４０】
１            梯子用フック
２            フック本体
３            基端側脚部
４            先端側脚部
５            屈曲部
６            フック本体の開口部
７            ストッパー片
８            ストッパー係止部
９            ストッパー解除用ロープ
１０          揺動レバー
１１          フック取付金具
【図１】
2008045372.tif 000003
【図２】
2008045372.tif 000004
【図３】
2008045372.tif 000005
【図４】
2008045372.tif 000006
【図５】
2008045372.tif 000007
【図６】
2008045372.tif 000008
【図７】
2008045372.tif 000009